(57)【要約】【課題】従来技術では、表示手段の駆動または表示状態の維持に大掛かりな電源手段が必要であって、小型化できないという問題があった。【解決手段】メモリ性を有する表示手段とカード検出手段とこのカード検出手段からの情報に基づいて表示手段の表示情報を切り替える切り替え手段とを有し、収納体を透明または半透明の材質で構成することで、カードが収納されている状態においても目視で確認することができるとともに、カードの収納状態に応じて表示手段の表示情報を切り替えることができる。このような構成とすることで、カード自体には何らの細工をすることなく、自由に出し入れでき、カードの情報を隠蔽できるカード収納体を提供できる。【選択図】図１
2007072858.tif 000002
【特許請求の範囲】
【請求項１】
カードを収納する手段を有するカード収納体であって、
表示情報が表示可能なメモリ性を有する表示手段と、
前記カードが収納されているか否かを検出するカード検出手段と、
前記表示情報を入力する表示情報入力手段と、
前記表示情報を保存する表示情報記憶手段と、
前記表示手段の表示内容を前記カード検出手段からの情報に基づいて切り替える切り替え手段とを有することを特徴とするカード収納体。
【請求項２】
少なくとも一部を透明または半透明の材質で構成し、前記カードが収納されている状態を目視で確認できるようにする構成であり、前記表示手段は、前記カードと平面的に重なる位置に設けることを特徴とする請求項１に記載のカード収納体。
【請求項３】
他の物体を固定する少なくとも１つの係止手段を設けることを特徴とする請求項１または２に記載のカード収納体。
【発明の詳細な説明】
【技術分野】
【０００１】
本発明は、カードを収納するためのカード収納体に関するものであって、特に、画像や文字や模様などの表示ができる表示手段を有するカード収納体に関する。
【背景技術】
【０００２】
クレジットカードや銀行カード、身分証明書や社員証などカード状の物体は広く生活に浸透している。近年、これらのカード状の物体に半導体チップを搭載し、情報の保存や書き換えが可能なＩＣカードも用いられるようになってきた。また、ＲＦＩＤタグのように通信機能を有するものも知られている。これらクレジットカードや身分証明書やＩＣカードなどのカード状の物体を以後は単にカードと称する。
このようなカードは、外部からの押圧力や曲げ力などの機械的な力や静電気ノイズや電磁波などの電気的な影響に弱い。
また、カードに付着する汚れなども場合によってはカードの機能に影響を与えてしまうことがある。例えば、汚れに含まれる水分である。さらに、このような汚れは、カードの見栄えを悪くすることもある。
【０００３】
そこで、カードに加わる機械的や電気的な影響や汚れの影響から保護し、安全にカードを搬送したり携帯したりするために、カードを収納するカード収納体が知られている。
【０００４】
近年、カード収納体に表示手段を有し、所定の情報をこの表示手段に表示することができるものが知られている（例えば、特許文献１参照。）。
特許文献１に示した従来技術は、ＩＣカードを収納するケースであって、表示手段と電源とを有しており、ＩＣカードに記憶されている情報を読み出して表示手段に表示させるというものである。
【０００５】
特許文献１に示した従来技術を図を用いて説明する。図５は、特許文献１に示した従来技術を説明しやすいようにその主旨を逸脱しない範囲で書き直した図である。
図５において、５００はＩＣカードケース、５０１はバッテリー、５０２は表示手段、５０３は操作スイッチ、５０４は接続端子、５０５はＩＣカードである。
特許文献１に示した従来技術は、ＩＣカード５０５をＩＣカードケース５００に収納し、ＩＣカード５０５に記憶された所定のデータを読み出し表示手段５０２に伝送するというものである。このような構成とすることによって、ＩＣカードに記憶している内容をＩＣカードケースに設けた表示手段で閲覧できるという利点があった。
【０００６】
また、カード収納体に設けた表示手段によって、収納されているカードに表記された情報を隠蔽するものも知られている（例えば、特許文献２参照。）。
特許文献２に示した従来技術は、電子式身分証明書に関するものであって、シャッターとして機能する液晶ディスプレイを有しており、液晶ディスプレイと印刷物とを接着しておき、身分証明書の偽造を防止するものである。
【０００７】
特許文献２に示した従来技術を図を用いて説明する。図６は、特許文献１に示した従来技術を説明しやすいようにその主旨を逸脱しないように書き直した図である。
図６において、６００は液晶ディスプレイ、６０１は顔写真を表示する表示手段、６０２はシャッター、６０３は印刷物、６０４はバックライト、６０５は駆動回路、６０６は偏光板である。駆動回路６０５はＬＣＤドライバや表示メモリや電源も備えている。
特許文献２に示した従来技術は、液晶ディスプレイ上に顔写真を表示し、印刷物上にシャッターを配置し、専用のケースに収納するときにのみ液晶ディスプレイが表示状態とな
りカードの内容を目視できるというものである。このような構成とすることによって、カードの偽造を防止することができるという利点があった。
【特許文献１】特開昭６１−１３８３９０号公報（第１頁、第1図）
【特許文献２】特許第３３５００８５号公報（第２頁、第1図）
【発明の開示】
【発明が解決しようとする課題】
【０００８】
特許文献１に示した従来技術は、ＩＣカードケースに収納しているＩＣカードに記憶されている情報を表示手段に表示することが可能であり、例えば、ＩＣカード用リーダライタ等の情報の読み出しや読み取りができる装置を介さなくてもよいという利点があるものの、ＩＣカードを動作させＩＣカードケースの表示手段に情報を表示するために、ＩＣカードケースに電源手段を搭載しなければならない。
特許文献１に示した従来技術では、この電源手段を太陽電池などのバッテリーである旨の記載がある。発電手段であれば小型化が期待できると理解できるが、太陽電池を搭載しても、表示手段を長期間に渡り安定して動作させなければならないことには変わりはなく、昼夜を問わずに安定動作をするには、大型の蓄電手段や電源手段がやはり必要である。したがって、ＩＣカードケースとしては、電源手段が占有する容積として相当大きいものが必要となり、カードを収納するものとしては、小型化できないという問題があった。
【０００９】
ところで、カードに記憶している情報やカードから見える情報は、個人情報であって第三者に知られたくない重要な情報である。例えば、健康保険証の番号や社員番号、クレジットカード番号などである。これらの情報は、それを第三者に知られたからといってすぐさま危険であるとはいえないが、かといって知られてよいものでもない。ゆえに、必要に応じてカードに係る情報を隠蔽する必要がある。
【００１０】
特許文献２に示した従来技術は、シャッターを設けて必要に応じて情報を隠蔽することが開示されているが、液晶ディスプレイと身分証明書とを接着してしまう形状のカードを収納するための構成であるから、そのような構成ではない通常のカードを入れ替わり収納することはできないという問題があった。
【００１１】
先にも述べた通り、カードは、広く生活に浸透している。クレジットカードや銀行カード、身分証明証や社員証などを個人で複数持つこともめずらしくない。このようなカードは、一様に外部からの影響や汚れから保護する必要がある。このような要求に対しては、カードの数だけカード収納体を用意するか、1つのカード収納体に複数のカードを入れ替わり収納するかのどちらを行って保護する必要があるが、いずれの場合においても特殊なカードにしか対応できないカード収納体では、そもそも多くのカードに対応することはできない。
【００１２】
本発明の目的は、上記課題を解決しようとするもので、カード自体には何らの細工をすることなく、自由に出し入れできるカードの収納体であって、その収納状態によって、所定の表示ができる機能を有するカード収納体を提供することにある。
【課題を解決するための手段】
【００１３】
上記目的を達成するための本発明は以下の構成を採用する。
【００１４】
カードを収納する手段を有するカード収納体であって、
表示情報が表示可能なメモリ性を有する表示手段と、カードが収納されているか否かを検出するカード検出手段と、表示情報を入力する表示情報入力手段と、表示情報を保存する表示情報記憶手段と、表示手段の表示内容をカード検出手段からの情報に基づいて切り替える切り替え手段とを有することを特徴とする。
【００１５】
少なくとも一部を透明または半透明の材質で構成し、カードが収納されている状態を目視で確認できるようにする構成であり、表示手段は、カードと平面的に重なる位置に設けることを特徴とする。
【００１６】
他の物体を固定する少なくとも１つの係止手段を設けることを特徴とする。
【発明の効果】
【００１７】
本発明によれば、メモリ性を有する表示手段を有し、カードが収納されているか否かを検出する手段と、画像や文字や模様などの表示情報を入力する手段と、これら表示情報を保存する記憶手段と、表示手段の内容をカード検出手段からの情報に基づいて切り替える切り替え手段とで構成することにより、カードの収納の有無を検出し、それに合わせて表示手段の表示を切り替えることができる。このような構成とすることにより、カードに係る情報を第三者に見られてしまうなどの情報の漏洩を防ぐことができる。
【００１８】
さらに、カード収納体の一部を透明または半透明の材質で構成することで、カードが収納されている状態を目視で確認できるため、カード収納体を名札や社員証入れなどにすることができる。また、表示手段を透明表示にしておくことができるので、表示手段をカードと平面的に重なる位置に設けても、それを透過して下地のカードを目視できる。さらに、社員番号などの情報を第三者に目視できないように表示手段の表示を切り替えることで、カードをマスクし、情報を隠蔽することができる。
【００１９】
もちろん、収納するカードは特殊なものではなく、通常知られているカードを用いることができるので、様々なカードを入れ替えて使用することができる。
【００２０】
本発明のカード収納体は、メモリ性を有する表示手段を有しているため、長期間に渡り表示情報を表示手段に表示させても電力を必要としない。
【発明を実施するための最良の形態】
【００２１】
以下図面により本発明の実施の形態を詳述する。図１から図３は、本発明の一実施の形態におけるカード収納体の構造を示すものである。図１は、カード収納体の構成を説明する平面図を示している。図２は、カード収納体の内部を説明するためのブロック図である。図３は、カード収納体のカードの有無を検出する手段を説明するための図であって、カード収納体の一部を模式的に示す断面図である。
【００２２】
［全体構造の説明：図１］
まず、本発明の構成を図に基づいて説明する。図１において、１はカード収納体、２はカードである。図１ではカード収納体に収納された状態を示している。３はカード収納体に設ける表示手段、４はカードが収納されているか否かを検出するカード検出手段、５は制御手段、６は表示情報を入力する表示情報入力手段である。７ａ〜７ｄは係止手段である。図１において、矢印は信号の流れを模式的に示すものである。
制御手段５は、切り替え手段と表示情報記憶手段とを含んでいる。それについては後述する。表示情報入力手段６は、インターフェース手段６ａとスイッチ手段６ｂとを有している構成について説明する。これについても後述する。
【００２３】
図１に示すカード収納体１は、一部を透明または半透明の材質で構成している。このような構成とすることによって、カード２がカード収納体１に収納されている状態で、その様子を目視することができる。例えば、カード２がクレジットカードであれば、カードのデザインや表記文言などからクレジットカード会社名や有効期限などを知ることができる。また、電子式の身分証明書であれば、顔写真や社員番号や学籍番号などの画像情報や文
字情報を目視することができる。
このように、収納したカード２を目視できるから、収納したことを忘れてしまうことはない。また、気に入ったデザインのカード２であれば、いつでもそれを見ることができる。
【００２４】
もちろん、透明または半透明の材質で構成している部分は、カード収納体１のカード２が目視できる範囲で構わないから、カード２の所定の部分に相当する部分だけでもよい。例えば、カード２が電子式の身分証明書であれば、顔写真の部分などである。
【００２５】
表示手段３はメモリ性を有する表示装置である。例えば、強誘電性液晶表示装置である。強誘電性液晶表示装置の仕組みを簡単に説明すると、自発分極を持つ強誘電性液晶に電界を印加することで自発分極の向きを変え液晶分子の傾きを変えることができる。電界を切った場合でもそれぞれの状態を保持し続ける。そのためメモリ性を持つのである。
【００２６】
表示手段３は、カード収納体１の所定の部分に設けているが、カード２をカード収納体１に収納した際に、カード２と平面的に重なるように配置している。
表示手段３は、その表示を透明にすることができる。このようにすることで、収納しているカード２の様子を目視することができるので、表示手段３によりカード２が隠れて見えなくなることはない。
もちろん、表示手段３の表示を特定の表示情報、例えば、所定の画像や文字や幾何学模様などにしておくこともできる。このようにすることで、カード２の一部を隠蔽することもできる。第三者に見られたくない部分を隠すことができるのである。なお、その表示情報の入力や切り替えなどについては後述する。
【００２７】
表示手段３は、メモリ性を有しているので、その表示を透明にしていることも特定の表示情報を表示していることも、その表示状態を維持するための電力は必要ない。このため、カード収納体１に大掛かりな電源手段を搭載する必要はない。収納されるカード２から電力を供給してもらう場合は、電源手段を搭載する必要もない。外部からの電源供給手段がない場合であっても、表示手段３を駆動し続けるための電力が必要ないため、従来に比してカード収納体１を小型軽量にすることができる。
【００２８】
図１に示す例では、カード収納体１にカード２を収納する向きを示していない。本発明ではそれは重要ではなく、図１において、上側や下側、左側や右側から挿入することができる。もちろん、カード収納体１には図示しない蝶番を設けて本のように開閉自在にし、その部分にカード２を置くこともできる。
【００２９】
係止手段７ａ〜７ｄは、他の物体を固定するための手段である。例えば、紐またはチェーン状のストラップとカード収納体１とを接続するためのものであり、穴明き部分を有しており、ストラップの端部をこの穴明き部分に通して固定する構造を有している。本発明のカード収納体１を例えば首から吊り下げるような場合に、ストラップを接続するものである。
図１に示す例では、係止手段７ａ〜７ｄは、カード収納体１の一辺のほぼ中央に設けるように記載しているが、それに限定するものではない。角部分に設けても構わないし、一辺に２つ以上設けてもよい。もちろん４つ全てを設ける必要もない。
【００３０】
係止手段７ａ〜７ｄに上述のようなストラップを接続する場合において、その接続する位置によって、カード収納体１をどの向きにでも吊り下げることができる。収納するカード２も場合によっては上下が逆さまになることもあるが、そのような場合は、カード２を所望の向きに収納し直せばよい。このように係止手段を設けることで、カード２をカード収納体１に収納する向きに自由度が増すのである。
【００３１】
つまり、表示手段３とカード２とが重なる部分をある程度自由にすることができるのである。顔写真を必要に応じて隠蔽したいときを例にして説明する。カード２が電子式の身分証明書だとする。身分証明書によっては顔写真の位置がカード２の左右どちらかに記載（印刷あるいは表示）されているか一様ではない。そのような場合においても、電子式の身分証明書をカード収納体１に収納する向きと係止手段７ａ〜７ｄのどこにストラップを接続するかということとを工夫すれば、顔写真を表示手段３で隠蔽することができうるのである。
【００３２】
ところで、係止手段７ａ〜７ｄには、ストラップだけを係止するものではない。キーホルダーや識別タグなどを固定するなどの利用者の趣向に応じた使用方法があることは言うまでもない。もちろん、穴明き部分ではなく、クリップのような付勢力を有する構造であっても構わない。
【００３３】
表示情報入力手段６は、インターフェース手段６ａとボタンまたはキーボードのようなスイッチ手段６ｂとを有している。
インターフェース手段６ａは、メモリカードスロットもしくは外部の機器との専用接続コネクタ、ＵＳＢ（Ｕｎｉｖｅｒｓａｌ  Ｓｅｒｉａｌ  Ｂｕｓ）コネクタなどで構成している。
外部の機器、例えば、パーソナルコンピュータによって予め所望の文字列や画像を作成しておく。作成したこれら表示情報は、インターフェース手段６ａを介してカード収納体１に取り込むのである。
もちろん、スイッチ手段６ｂを用いて任意の文字列を入力することも可能である。この場合は、１つのスイッチやボタンに複数の文字列を割り当てておけばスイッチ手段６ｂを構成するスイッチやボタンの数を減らすことができる。１つのスイッチやボタンに割り当てている文字列を切り替えることで文字を入力する方法は、すでに携帯電話機器などで実現されており、知られている技術であるので、説明は省略する。
【００３４】
本発明の実施の形態では、表示情報入力手段６は、インターフェース手段６ａとスイッチ手段６ｂとを有している構成を説明したが、もちろんこれに限定するものではない。インターフェース手段６ａまたはスイッチ手段６ｂのどちらか一方のみを設けてもよい。
【００３５】
［内部構造の説明：図２］
次に、本発明の内部の構成について図を用いて説明する。図２において、制御手段５は表示の切り替え手段５１と表示情報記憶手段５２とを有している。図２において、矢印は信号の流れを模式的に示すものである。
表示情報記憶手段５２は、表示情報入力手段６より入力された表示情報を保存しておくものであって、例えば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やＦｌａｓｈ  Ｍｅｍｏｒｙ（フラッシュメモリ）などの電気的書き換え可能な不揮発性記憶素子で構成している。
制御手段５は、表示情報記憶手段５２に保存している表示情報と表示手段３に表示している表示情報とを切り替え手段５１を用いて切り替える。その切り替えは、カード検出手段４からの情報に基づいて、表示手段３に表示している表示情報と表示情報記憶手段５２に記憶している表示情報とを比較し、双方が一致していないときに切り替えるのである。
【００３６】
カード検出手段４は、カード収納体１にカード２が収納されているか否かを検出し、検出用信号を出力する。
検出用信号は、収納信号と排出信号との２つの信号を有している。カード収納体１に新たにカード２が収納されると収納信号を出力し、カード収納体１からカード２が排出され
ると排出信号を出力する。
制御手段５は、この２つの信号を受信し、その信号が収納信号か排出信号かどちらであっても、その都度切り替え手段５１を制御して、表示を切り替えるのである。
【００３７】
切り替え手段５１による切り替えは、表示手段３の内容を表示情報記憶手段５２に記憶している表示情報に切り替えるほか、例えば、表示手段３の内容をすべて幾何学模様や所定の文字列、黒や白の塗りつぶしなどにしてもよい。
カード検出手段４の構成については後述する。
【００３８】
また、切り替え手段５１による切り替えは、表示情報入力手段６を使用者が操作することで、すぐさま行うこともできる。制御手段５は、表示情報入力手段６からの所定の操作、例えば、所定のボタンやスイッチの押圧や連続２回押しなどの決められた操作を受け付けると、表示情報記憶手段５２から表示情報を読み出し、切り替え手段５１を用いて表示手段３の表示情報を表示情報記憶手段５２に記憶している表示情報に切り替えるのである。
もちろん、そのときに表示手段３に表示している表示情報とは異なる表示にすればよいので、表示情報記憶手段５２に記憶している表示情報ではなく、幾何学模様や所定の文字列、黒や白の塗りつぶしなどに表示を変更してもよい。
このようにすることによって、表示装置３に表示している第三者に知られたくない表示情報をすぐさま隠蔽することができる。
【００３９】
［検出手段の説明：図３〜４］
続いて、カード収納体１にカード２が収納されているか否かを検出するカード検出手段４について説明する。
図３は、カード検出手段４の構成を説明する図である。図３は、付勢力を有する弾性体を用いる検出構造を説明するものである。  図３において、４ａは導電性を有し付勢力を有する弾性部、４ｂは導電性を有する受け部である。
【００４０】
図３（ａ）に示すように、弾性部４ａは、カード収納体１にカード２が収納されていない状態では受け部４ｂと接しており、弾性部４ａと受け部４ｂとは電気的に導通している。
カード検出手段４は、この状況をカード２がカード収納体１に収納されていないと判断する。
【００４１】
図３（ｂ）に示すように、カード収納体１にカード２が収納されると、カード２により弾性部４ａと受け部４ｂとが離間して、これらの間の導通が解除される。
カード検出手段４は、弾性部４ａと受け部４ｂとの導通状態が解除されたことによって、この状況をカード２がカード収納体１に収納されたと判断し、収納信号を出力する。
その後、カード２がカード収納体１から排出されると、弾性部４ａはその付勢力によって再び受け部４ｂと接し、これらの間は電気的に導通状態が再開される。
カード検出手段４は、弾性部４ａと受け部４ｂとの導通状態が再開されたことによって、この状況をカード収納体１からカード２が排出されたと判断し、排出信号を出力する。
【００４２】
カード検出手段４の構成はこれに限定されるものではない。図４は、光学的手段を用いる検出構造を説明するものである。図４において、４ｃは受光素子である。受光素子４ｃは、光が入射する向きをカード収納体１の内面方向とするように設けている。受光素子４ｃは、例えば、フォトダイオードやフォトトランジスタなどで構成することができる。
【００４３】
図４（ａ）に示すように、受光素子４ｃは、カード収納体１にカード２が収納されていない状態では光が入射しており、所定の信号を出力している。
カード検出手段４は、この状況をカード２がカード収納体１に収納されていないと判断する。
【００４４】
図４（ｂ）に示すように、カード収納体１にカード２が収納されると、カード２により受光素子４ｃに入射していた光が遮られ、受光素子４ｃが出力していた所定の信号が途絶える。
カード検出手段４は、この状況をカード２がカード収納体１に収納されたと判断し、収納信号を出力する。
その後、カード２がカード収納体１から排出されると、受光素子４ｃには再び光が入射し、受光素子４ｃは所定の信号を出力する。
カード検出手段４は、受光素子４ｃからの信号出力が再開されたことによって、この状況をカード収納体１からカード２が排出されたと判断し、排出信号を出力する。
【００４５】
本発明のカード収納体１は、一部を透明または半透明の材質で構成していると説明した。受光素子４ｃは、この材質の光を透過する状況を利用するものであるが、受光素子４ｃに外光がカード収納体１を透過しない場合もある。その場合は、図示はしないが受光素子４ｃに対向するように発光素子を設けて、カード２がその光を遮るようにすればよい。その際の発光素子は、ＬＥＤ（Ｌｉｇｈｔ  Ｅｍｉｔｔｉｎｇ  Ｄｉｏｄｅ：発光ダイオード）などが消費電力低減のために好ましい。
【００４６】
図３と図４とに示すカード検出手段４は一例であって、これに限定するものではない。例えば、カード収納体１に蝶番を設けて本のように開閉自在にし、その蝶番の動作をもって検出してもよい。いずれにしても、カード２の収納と排出とを検出できればよく、この主旨を逸脱しない限り、変更が可能である。
【００４７】
本発明のカード収納体１は、収納するカード２がICカードのような電子式カードである場合には、そのカード２に記憶している情報を読み出し、表示手段３に表示することができる。
このようにすることで、リーダライタ等の情報の読み出しや読み取りができる装置を介さなくてもカード２に係る情報を閲覧することができる。
【００４８】
本発明のカード収納体１は、特段の加工を必要としない通常のカード２を収納し保護することができる。カード２の収納と排出とを検出することができるので、表示手段３の内容を切り替えることができるため、カード収納体１から排出したカード２に関係する情報をすぐさま別の表示内容に切り替えることができる。これにより、カード収納体１にいつまでも以前のカード２の情報が残ることはない。
また、新たに別のカード２を収納しても、その収納を検出できるため、すぐさま表示手段３の内容が変更されるので、前のカード２の情報を表示し続けるということはない。したがって、実際にカード収納体１に収納されているカード２と表示手段３に表示されている情報とが食い違い、使用者が収納しているカード２を誤認するという不測の事態を防止することができる。
【００４９】
さらに、本発明のカード収納体１は、メモリ性を有する表示手段３を用いている。メモリ性を有する表示とは、表示状態が保存されるため、表示手段３に表示情報を表示し続けることに電力を必要としない。このため、非常に低消費電力である。カード収納体１に使用者が気に入った表示情報、例えば、景色の画像などを長期間に渡り表示しても、それに係る電力はまったく消費しないのである。これは本発明のもっとも特徴的な部分である。
【産業上の利用可能性】
【００５０】
本発明のカード収納体は、従来と比して小型化することが可能であり、収納するカード
を選ばないので、カードケースに適用することができる。特に、複数のカードを入れ替えて保護するカードケースに好適である。
【図面の簡単な説明】
【００５１】
【図１】本発明のカード収納体を説明する平面図である。
【図２】本発明のカード収納体の内部を説明するブロック図である。
【図３】本発明のカード収納体のカード検出手段を説明する図である。
【図４】本発明のカード収納体のカード検出手段を説明する図である。
【図５】従来技術を説明する平面図である。
【図６】従来技術を説明する斜視図である。
【符号の説明】
【００５２】
１  カード収納体
２  カード
３  表示手段
４  カード検出手段
５  制御手段
６  表示情報入力手段
６ａ  インターフェース手段
６ｂ  スイッチ手段
５１  切り替え手段
５２  表示情報記憶手段
【図１】
2007072858.tif 000003
【図２】
2007072858.tif 000004
【図３】
2007072858.tif 000005
【図４】
2007072858.tif 000006
【図５】
2007072858.tif 000007
【図６】
2007072858.tif 000008